(57)【特許請求の範囲】
【請求項１】
室内空気を前面の吸い込みパネルから機内に吸い込み、上面の吹き出し口から室内に吹き出すことにより室内空気を機内を通して循環させる送風手段と、機内を通過する循環空気を浄化する浄化手段と、機体を床置きまたは逆さ吊り状態に壁掛けする設置手段とを備えた空気清浄機において、
前記吸い込みパネルは、床置き状態において機体の上位部が後退するように傾斜する凹湾曲前面を形成することを特徴とする空気清浄機。
【請求項２】
請求項１において、前記吸い込みパネルは、上端部がオーバーハングするように湾曲したことを特徴とする空気清浄機。
【請求項３】
請求項１または２において、前記吸い込みパネルは、その吸い込み窓の通気開口の開口率を、上部領域が下部領域よりも大きくしたことを特徴とする空気清浄機。
【請求項４】
請求項３において、前記吸い込みパネルの開口率は、上部領域において、徐々に大きくなるようにしたことを特徴とする空気清浄機。
【請求項５】
請求項１〜４の１項において、前記浄化手段は、ＨＥＰＡフィルターと光触媒を備えたことを特徴とする空気清浄機。
【請求項６】
請求項１〜５の１項において、前記浄化手段は、下位部を厚く、上位部を薄くすることにより前面側が全体的には僅かに斜め上を向くと共に中央部が後退する凹湾曲前面を形成し、前方を開放した前面側凹部を形成した略角形の額縁状の本体フレームにおける前記前面側凹部内に位置するように設け、前記送風手段は、前記本体フレームの前面側凹部の後側に位置するように設けて後ケースで覆ったことを特徴とする空気清浄機。
【請求項７】
請求項６において、床置き状態における前記本体フレームの凹湾曲前面の下位部に文字／記号表示手段を設けたことを特徴とする空気清浄機。
【発明の詳細な説明】
【０００１】
【発明の属する技術分野】
本発明は、空気清浄機に係り、特に、床置きおよび壁掛け（逆さ吊り状態）して使用するのに好適な空気清浄機に関する。
【０００２】
【従来の技術】
室内に設置して浮遊塵埃やタバコの煙などを捕集する空気清浄機は、送風手段と集塵手段を内蔵する。送風手段は、室内の空気を前面の吸い込みパネルから吸い込んで上面の吹き出し口から室内に吹き出すように室内空気を空気清浄機内を通過させるように循環させる。集塵手段は、機内を通過する循環空気に含まれる塵埃や煙を捕集することにより、室内の空気を清浄にする。
【０００３】
このような空気清浄機は、一般には、壁際の床または机上に設置する床置き状態での使用形態と、天井近くの側壁に逆さ吊り状態に壁掛けしての使用形態がある。空気清浄機は、床置き使用形態では、室内の比較的に低い領域の空気を吸い込んで集塵した後に側壁に沿って上方に向けて吹き出し、壁掛け使用形態では、室内の比較的に高い領域の空気を吸い込んで集塵した後に側壁に沿って下方に向けて吹き出すように動作する。
【０００４】
【発明が解決しようとする課題】
このような空気清浄機は、可及的に、室内空気を効率良く循環させて優れた集塵および脱臭性能を発揮すること、床置きまたは壁掛け状態で小形（薄型）に感じられること（スリム感）、床置き状態で安定性が高いこと、床置きまたは壁掛けの何れの状態でも表示が見易いこと、などが望まれている。
【０００５】
本発明は、このような要望を可及的に満足することができる空気清浄機を提供することにある。
【０００６】
【課題を解決するための手段】
本発明は、室内空気を前面の吸い込みパネルから機内に吸い込み、上面の吹き出し口から室内に吹き出すことにより室内空気を機内を通して循環させる送風手段と、機内を通過する循環空気を浄化する浄化手段と、機体を床置きまたは逆さ吊り状態に壁掛けする設置手段とを備えた空気清浄機において、前記吸い込みパネルは、床置き状態において機体の上位部が後退するように傾斜する凹湾曲前面を形成するように構成する。
【０００７】
また、前記吸い込みパネルは、上端部がオーバーハングするように湾曲させ、その吸い込み窓の通気開口の開口率は、上部領域が下部領域よりも大きくなるようにする。この開口率は、上部領域において、徐々に大きくなるようにすると良い。
【０００８】
そして、前記浄化手段は、ＨＥＰＡフィルターと光触媒を備え、
また、この浄化手段は、下位部を厚く、上位部を薄くすることにより前面側が全体的には僅かに斜め上を向くと共に中央部が後退する凹湾曲前面を形成し、前方を開放した前面側凹部を形成した略角形の額縁状の本体フレームにおける前記前面側凹部内に位置するように設け、前記送風手段は、前記本体フレームの前面側凹部の後側に位置するように設けて後ケースで覆ったことを特徴とする。
【０００９】
また、床置き状態における前記本体フレームの凹湾曲前面の下位部に文字／記号表示手段を設けた。
【００１１】
【発明の実施の形態】
本発明の一実施形態を図１〜図９を参照して説明する。
【００１２】
図１は、本体フレームと該本体フレームに取り付ける送風手段と紫外線ランプと操作部および制御手段の分解斜視図である。図２は、本体フレームの前面側に取り付ける光触媒脱臭手段と集塵手段と吸い込みパネルの分解斜視図である。図３は、本体フレームの後面側に取り付ける後ケースと該後ケースに設ける吹き出しグリルと吊り具の分解斜視図である。図４は、表示パネルの正面図である。図５は、この空気清浄機の縦断側面図である。
【００１３】
本体フレーム１は、プラスチック成形品で前方を開放した略角形の縦型の薄い箱（額縁）状に構成する。この本体フレーム１は、更に詳しくは、下側を厚く（奥行きを深く）、上側を薄く（奥行きを浅く）することにより前面側が全体的には僅かに斜め上を向くと共に中央部が後退した凹湾曲面を呈するように構成し、前面側凹部１ａの奥壁には通気窓１ｂを形成する。
【００１４】
この本体フレーム１の前面側凹部１ａ内には、保護兼反射金具２を添えた紫外線ランプ３と、触媒フレーム４ａ，４ｂで挟んだ光触媒シート５ａ，５ｂと、活性炭入りの集塵フィルター６を順次に位置するように内蔵し、その外側を吸い込みパネル７で覆うように該吸い込みパネル７を開口縁に嵌着する。保護兼反射金具２を添えた紫外線ランプ３は、本体フレーム１の前面側凹部１ａの奥壁に沿って取り付ける。活性炭入り集塵フィルター６は、ＨＥＰＡフィルター（０．３μｍ以上のダストを９９，９７％除去する性能を有する）を使用し、吸い込みパネル７の後面側に形成した角形筒枠部７ａ内に収容して取り付ける。触媒フレーム４ａ，４ｂで挟んだ光触媒シート５ａ，５ｂは、本体フレーム１の前面側凹部１ａに嵌め込んだ状態で吸い込みパネル７を嵌着することにより、該吸い込みパネル７と本体フレーム１の間に挟持する。
【００１５】
本体フレーム１に対する吸い込みパネル７の嵌着は、この吸い込みパネル７の下端部に突設した係合突起７ｂ，７ｃを本体フレーム１の前面側凹部１ａの下壁に形成した係合穴１ｃ，１ｄに係合するようにして該吸い込みパネル７の角形筒枠部７ａを該本体フレーム１の前面側凹部１ａ内に押し込み、上端部に突設した係合突起７ｄを本体フレーム１の上端縁部に形成した係合凹部１ｅに係合させて抜け止めするように行う。
【００１６】
この本体フレーム１の下側前面には、更に、一段低くした操作面１ｆを形成し、ここに、運転制御スイッチ操作ボタン８ａ，８ｂを取り付け、その表示ランプ窓群１ｇおよび風量表示ランプ窓群１ｈおよびダストモニターランプ窓群７ｉおよび７セグメントＬＥＤ表示窓１ｊおよびセンサ設置窓１ｋを形成する。そして、これらの前面は、図４に示すように、運転制御スイッチ操作ボタン８ａ，８ｂを貫通させるスイッチ操作ボタン窓９ａ，９ｂと、ガスセンサに対向する通気窓９ｃを備えた透明な表示パネル９で覆うようにする。
【００１７】
また、本体フレーム１の前面の下端部には、運転制御スイッチ操作ボタン８ｃを取り付ける。
【００１８】
そして、この本体フレーム１の凹部１ａの後側には、モータ取り付け金具１０によってＤＣインバータモータ１１を挟持するように設置してシロッコファン１２を取り付け、その周囲を中間プレート１３に形成したスクロール１３ａによって包囲する。
【００１９】
操作面１ｆの後側には、基板取り付け部材１４の前側に取り付けたコントロール基板１５を設置し、このコントロール基板１５に実装した運転制御スイッチ接点１５ａ〜１５ｃを前記運転制御スイッチ操作ボタン８ａ〜８ｃに対向させると共に、表示ランプ群１５ｄ〜１５ｆおよび７セグメントＬＥＤ１５ｇを前記表示ランプ窓１ｇ〜１ｉおよび７セグメントＬＥＤ表示窓１ｊに臨ませる。
【００２０】
また、人体センサ１６およびガスセンサ１７は、前記センサー設置窓１ｋに対向する位置に本体フレーム１と基板取り付け部材１４で挟持する。
【００２１】
この基板取り付け部材１４の後側には、電源基板１８を取り付ける。
【００２２】
このように部品を取り付けた本体フレーム１の後側は、後ケース１９で覆う。この後ケース１９は、その上側面に、吹き出しグリル２０を嵌着した吹き出し口１９ａを備え、この吹き出し口１９ａは、更に、着脱可能な吹き出しカバー２１で覆うことによって、吹き出し方向を変えることができるようにしている。この吹き出し口１９ａを前記スクロール１３ａの吐出口に相応させて設けることは、当然である。
【００２３】
また、この後ケース１９の下面には、床置きするためのゴム脚２２を取り付け、後面側には、壁に取り付けた壁掛け金具２３に逆さ吊りするための吊り金具２４ａ，２４ｂを備える。
【００２４】
図４は、操作部を示している。表示パネル９には、運転制御スイッチ操作ボタン８ａ，８ｂとその表示ランプ群１５ｄに対応させた標示文字「静か」，「ターボ」と、表示ランプ群１５ｅ，１５ｆに対応させた標示文字「風量切換」，「自動  微  弱  強  急速」，「ダストモニター」，「多  少」と、７セグメントＬＥＤ１５ｇに対応させた標示文字「タイマー」を形成する。そして、運転制御スイッチ操作ボタン８ｃには、標示文字「運転／停止」を形成する。
【００２５】
図６は、この空気清浄機の電気的なブロック図である。制御装置は、主としてマイクロコンピュータ２５によって構成している。電源系は、商用電源２６から受電した交流電圧を整流回路２７によって整流し、スイッチング部２８によってＤＣインバータモータ（４０ボルト）系と、マイクロコンピュータ（１２ボルト）系に変成する。
【００２６】
ＤＣインバータモータ系は、ＤＣインバータモータ１１に供給する電圧の大きさをマイクロコンピュータ２５からの指示に従って電圧制御回路２９によって制御することによって該ＤＣインバータモータ１１をＰＡＭ制御する。
【００２７】
マイクロコンピュータ系は、マイクロコンピュータ２５からの指示に従ってオン／オフ動作するランプスイッチ３０を介して紫外線ランプ３に給電すると共にスイッチングレギュレータ３１によって安定化して該マイクロコンピュータ２５とその周辺回路に給電する。
【００２８】
マイクロコンピュータ２５は、スイッチ読み込み回路３２を介して入力する運転制御スイッチ接点１５ａ〜１５ｃの状態またはリモコン受光器３３で受信した指示信号に応じて、運転／停止制御を実行する。
【００２９】
運転制御においては、人体センサ１６，ガスセンサ１７，リモコン受光器３３からの入力に従って、ＤＣインバータモータ１１を運転してシロッコファン１２を回転させることにより、室内の空気を吸い込みパネル７から吸い込んで、活性炭入り集塵フィルター６で除塵および脱臭し、更に、紫外線ランプ３を点灯することにより光触媒シート５ａ，５ｂを活性化して脱臭することにより清浄にした空気を吹き出し口１９ａから室内に吹き出すことにより室内空気の浄化を行い、その運転状態を表示ランプ群１５ｄ〜１５ｆと７セグメントＬＥＤ１５ｇおよびブザー３４によって報知する。
【００３０】
図７は、リモコン操作装置の正面図と側面図である。このリモコン操作装置３５は、ボタン操作による指示信号を光通信によって前記リモコン受光器３３に伝達するもので、「運転／停止」スイッチ操作ボタン３５ａ、「静か」スイッチ操作ボタン３５ｂ、「ターボ」スイッチ操作ボタン３５ｃ、「風量」スイッチ操作ボタン３５ｄ、「タイマー」スイッチ操作ボタン３５ｅ、「壁掛け」スイッチ操作ボタン３５ｆ、「感度」スイッチ操作ボタン３５ｇ、「フィルターリセット」スイッチ操作ボタン３５ｈと、これらに対応するスイッチ接点とを備え、操作されたスイッチ操作ボタンに対応するスイッチ接点の情報を光信号に変換してリモコン受光器３３に向けて送信する。
【００３１】
このリモコン操作装置３５における「運転／停止」，「静か」，「ターボ」の各スイッチ操作ボタンに連動する各スイッチ接点による指示と、本体フレーム１の前面の操作部に設けた「運転／停止」，「静か」，「ターボ」の各スイッチ操作ボタンに連動する各スイッチ接点による指示は同じ意味をもつものである。
【００３２】
そして、「運転／停止」は、自動運転と停止を繰り返して指示するスイッチ接点を操作するボタン、「静か」は、静粛な空気浄化運転を指示するスイッチ接点を操作するボタン、「ターボ」は、強力な空気浄化運転を指示するスイッチ接点を操作するボタン、「風量」は、手動による「自動」，「微」，「弱」，「強」，「急速」の順に順次に風量を切り換える指示を出すスイッチ接点を操作するボタン、「タイマー」は、運転時間をセットするスイッチ接点を操作するボタン、「壁掛け」は、この空気清浄機を床置きまたは壁掛けの何れの形態での使用かを設定して７セグメントＬＥＤ１５ｇによる表示文字を上下反転する使用モード切り換えを指示するスイッチ接点を操作するボタン、「感度」は、人体センサ１６およびガスセンサ１７による検出信号に基づく制御特性を設定する感度設定を指示するスイッチ接点を操作するボタン、「フィルターリセット」は、フィルター寿命監視処理によって行ったフィルター交換の表示（７セグメントＬＥＤ１５ｇを“Ｆ”点灯）を消灯し、監視データをクリアして初期値に戻すためのリセットを指示するスイッチ接点を操作するボタンである。
【００３３】
図８は、この空気清浄機を床置きまたは壁掛けして使用するときのリモコン操作装置３５の「壁掛け」スイッチ操作ボタン３５ｆによる指示に応じた使用モード切り換え制御処理である。この空気清浄機の制御装置（マイクロコンピュータ２５）は、床置き状態での使用形態を標準にした制御を行うようにプログラムされている。
【００３４】
従って、後ケース１９に設けた壁掛け金具２３を壁に取り付けた壁掛け金具２３に係合することにより空気清浄機を逆さ吊り状態にした壁掛け使用において、７セグメントＬＥＤ１５ｇに標準モードで表示する文字／記号は、逆立ち状態に見える。これを上下反転させて順立状態に見えるようにするときには、リモコン操作装置３５の「壁掛け」スイッチ操作ボタン３５ｆを押してスイッチ接点を動作させ、モード切り換え指示信号を発生させる。
【００３５】
マイクロコンピュータ２５は、このモード切り換え指示信号を受信すると（ステップ８０１）、７セグメントＬＥＤ１５ｇに標準モード“３”を５秒間表示する（ステップ８０２）。この表示記号は、逆さ吊りの壁掛け状態では、“Ｅ”に見える。そして、この５秒間の表示の間に、再度、モード切り換え指示信号が入力されたかどうかを監視し（ステップ８０３）、入力されたときには、７セグメントＬＥＤ１５ｇに壁掛けモード（上下反転した）“Ｅ”を５秒間表示し（ステップ８０４）、この５秒間の表示の間に次のモード切り換え指示信号が入力されなければ壁掛けモードでの運転制御に入る（ステップ８０５，８０６）。このモードでの表示記号は、“３”に見えるようになる。
【００３６】
７セグメントＬＥＤ１５ｇに壁掛けモード（上下反転した）“Ｅ”を表示している５秒間の間に次のモード切り換え指示信号が入力されると（ステップ８０５）、この７セグメントＬＥＤ１５ｇの表示記号を標準モードに戻して５秒間表示する（ステップ８０７）ようにしてステップ８０３に戻る。
【００３７】
壁掛けモードでの運転中（ステップ８０６）にモード切り換え指示信号を受信すると（ステップ８０８）、壁掛けモード“Ｅ”（“３”に見える）を５秒間だけ表示する（ステップ８０９）。そして、この表示期間中に再度のモード切り換え指示信号の入力を監視し（ステップ８１０）、入力があればステップ８０７に戻って標準モードの表示に変更し、入力がなけばステップ８０６に戻って壁掛けモードでの運転制御を継続するようにする。
【００３８】
そして、この７セグメントＬＥＤ１５ｇは、「タイマー」スイッチ操作ボタンが押されてタイマー設定モードになるとは、「タイマー」スイッチ操作ボタン３５ｅが押される度に、“１”→“２”→“３”→“４”→“５”→“６”→“７”→“８”→消→“１”を表示し、「感度」スイッチ操作ボタン３５ｇが押されて感度設定モードになると、「感度」スイッチ操作ボタン３５ｇが押される度に、“一”→“二”→“三”→“一”を表示するように制御する。このときマイクロコンピュータ２５は、当然に、相応する特性での運転制御を実行する。
【００３９】
この空気清浄機は、以上のように構成されているので、図９に示すように、床置き形態で使用しているときには、僅かに上向き状態の吸い込みパネル７から室内の中央部分の空気を吸い込んで浄化して上方に向けて吹き出し、壁掛け形態で使用しているときには、僅かに下向き状態の吸い込みパネル７から室内の中央部分の空気を吸い込んで浄化して下方に向けて吹き出すように機能する。従って、室内空気を効率良く循環して浄化することができる。
【００４０】
しかも、ＨＥＰＡフィルターを使用する活性炭入り集塵フィルター６は、高い集塵性能と脱臭作用を発揮し、更に、光触媒シート５ａ，５ｂによる脱臭作用が加わるので、高い空気浄化能力を発揮することができる。
【００４１】
また、この空気清浄機の外観は、床置き使用形態では、上位部が次第に壁際に向かって後退する様相を呈することにより、安定感とスリム感を醸し出す。また、逆さ吊りの壁掛け使用形態では、下位部が次第に壁際に向かって後退する様相を呈することにより、スリム感を醸し出す。そして、凹湾曲した前面形状は、吸い込み力を感じさせる。
【００４２】
更に、表示パネル９の面は、床置き使用では僅かに上向き方向に、壁掛け使用では僅かに下向き方向に傾斜するので、部屋の中ほどから見易い対面角度となる。しかも、７セグメントＬＥＤ１５ｇは、床置きと壁掛けでは、表示文字／記号を上下反転することができるので、観察者は何れの使用形態においても順立した文字／記号を見ることができる。
【００４３】
次に、本発明の他の実施形態を図１０〜図１４を参照して説明する。前述した実施形態と同一または等価な構成部品については、同一の参照符号を付して重複する説明を省略し、あるいは図示説明を省略する。
【００４４】
先ず、図１０〜図１３を参照して、この実施形態に係る空気清浄機の概略構造を説明する。図１０は、この空気清浄機を正面側から見た外観斜視図、図１１は平面図、図１２は正面図、図１３は側面図である。
【００４５】
この空気清浄機の骨格は、前部を構成する本体フレーム１と、後部をカバーする後ケース１９と、前記本体フレーム１の正面に着脱可能に取り付けられる吸い込みパネル７とから構成される。
【００４６】
前記本体フレーム１は、前記実施形態と同様に、奥行き方向に薄い箱型の形態を呈し、その前面をほぼ矩形状として、その中央に凹状の前面側凹部が形成されている。この前面側凹部の開口縁には吸い込みパネル７が着脱可能に取り付けられ、前記本体フレーム１と共に、集塵フイルターを収納するフイルター収納部を構成する。
【００４７】
前記吸い込みパネル７の吸い込み窓７ｅは、上下に繰り返し形成される複数の横長の開口部からなる横スリット状に形成する。この吸い込み窓７ｅは、その通気開口面積が吸い込みパネル７の下部領域で小さく、上部領域に行くにしたがって徐々に広くなり、結局、この吸い込みパネル７の開口率は、この吸い込みパネルの上方領域が大きくなっている。具体的には、吸い込み７ｅ窓の通気開口面積（横スリットの垂直方向の幅）を吸い込みパネル７の下部から上部に行くに従って徐々に幅広にする形態や、吸い込みパネル７の下端から途中の領域までは一定にし、それよりも上部の領域は、徐々に幅広にする形態を採用することがでる。
【００４８】
また、前記吸い込みパネル７の下部には、前記実施形態と同様に、この空気清浄機の操作スイッチと運転状態の動作表示部を集中配置した操作ボタン８ｃや表示パネル９を設ける。
【００４９】
また、前記後ケース１９は、その前部が開放され、下部の奥行を上部の奥行きより小さくした略箱形状を呈し、この開放部を前記本体フレーム１の背面側に取り付けることで、その内部に送風機を設ける送風機配置空間を構成する。また、後ケース１９の上部の片側には複数の横長開口で構成した吹き出し口１９ａが設けられる。更に、この後ケース１９の底部には脚部を設け、本体を安定支持できるようにしている。
【００５０】
また、この実施形態は、後ケース１９の背面に取り付け部を設けることにより、壁面取り付けを可能にしている。この壁面取り付けでは上下を反転させて、前記吹き出し口１９ａが下方を向くように取り付けて使用する。
【００５１】
更に、本体フレーム１の背面には、前述した実施形態と同様に、前記フイルタ収納部と送風機配置空間を連通する通気窓を設ける。この構造により、前記送風機を駆動することにより、吸い込みパネル７より室内空気を吸い込んで前記集塵フイルタで清浄にし、前記吹き出し口１９ａより吹き出すことができる。
【００５２】
そして、この空気清浄機の大きな特徴の１つは、本体の骨格を、本体フレーム１と後ケース１９により前後に２分割し、本体フレーム１を箱型として、その周囲を張り出させると共に、後ケース１９を本体フレーム１より、正面からみて１回り小さく、あるいは後ケース１９の両側面を後方に向かって絞り込むことで、図１０に示すように、利用者が注目する正面斜めから見た場合に、後ケース１９を本体フレーム１の周囲に形成される張出部で隠すことができるので、全体形状を薄く見せることができる。加えて、張出部を設けることにより、大きな表面積が望ましい集塵フイルターを広く設けることができ、その後方にこのフイルターより小さい送風機を設けることで、本体の内部実装効率を向上してコンパクトな形態とすることができる。
【００５３】
更に、この実施形態の他の大きな特徴の１つは、本体フレーム１の前面を上方が後方に傾斜するようにした点である。これにより、テーブル等に設置した場合には、斜め上方から効率よく室内空気を吸込んで上方に吹出し、壁面取り付け時には、斜め下方から室内空気を吸込んで真下に吹出すことができる。
【００５４】
加えて、この実施の形態では、前記本体フレーム１の前面を、その中央が上下端より後方に後退し、下端部が前方に迫り出し、上端部が中央よりオーバーハングするように緩やかに湾曲する湾曲面を呈する構造とすることにより、上昇しながら拡散しようとするタバコこの煙を効率よく捕集すると共に、操作ボタンの操作性や表示パネルの視認性を向上することができる。
【００５５】
更に加えて、この実施形態では、前記したように、前記吸い込み窓７ｅの通気開口を上方に行くに従って開口率を大きくする構造としたことにより、吸込み効率を更に向上しつつ、意匠的効果も向上することができる。
【００５６】
次に、図１４を参照して、この空気清浄機の各使用形態における吸気特性を説明する。図１４の（ａ）は空気清浄機をテーブル上に設置した使用形態を示し、（ｂ）は壁面に取り付けた使用形態を示している。なお、吸い込みパネル部分に示した矢印の大きさは、吸い込み力の強さを意味している。
【００５７】
先ず、（ａ）に示すように、この空気清浄機をテーブル４１の上に設置した使用形態では、この空気清浄機の前方のテーブル４１に置かれた灰皿４２に火の着いたタバコ４３が放置されると、その煙４４は、上昇しながら拡散するが、この空気清浄機は、この煙を効率良く吸い込むことができる。
【００５８】
一般に、この種の空気清浄機では、ファンが吸い込みパネル７の中央部分の後方に配置されているため、吸い込み窓７ｅは、ファンに近い中央部分の吸い込み力が最も強く、その周囲部分は中央部分に比べて吸い込み力が低下する。このために、上昇する煙４４を吸い込み窓７ｅの中央部分で捕らえ損なうと、捕らえ損なった煙４４を吸い込み窓７ｅの上部で効率良く吸い込むことが困難となる。
【００５９】
しかしながら、この実施形態における吸い込みパネル７は、先ず、上端部がオーバーハングするように湾曲した湾曲面を呈するとすると共に、吸い込み窓７ｅの通気開口面積（開口率）を上部領域が下部領域より大きくしたことにより、吸い込み窓７ｅの上部領域での吸い込み力が強くなって効率良く吸い込むことができる。従って、タバコ４３から立ち上がった煙４４は、空気清浄機の吸い込みパネル７に沿って上昇しながら吸い込み窓７ｅに引き寄せられ、設置（テーブル４１）面からやや高い位置で吸い込み窓７ｅに吸い込まれる。このとき、この実施形態によれば、吸い込み窓７ｅの、ファンに近く吸い込み力の大きい中央領域で大半の煙４４を吸い込み、これから逃れて上昇する煙４４をオーバーハングした上端部で押え込み、更に押え込んだ煙４４を開口率を大きくして吸い込み力を向上させた上部領域で吸い込むことができる。
【００６０】
更に、（ｂ）に示すように、空気清浄機を天井に近い壁４５に逆さ吊り状態に設置した使用形態では、室内を上昇する煙４４を壁際に引き寄せて吸い込む。
【００６１】
一般に、タバコを吸う人は、壁面からやや離れた位置の下方にいることが多い。この設置状態では、タバコの位置は、この空気清浄機の取り付け位置より下方となるので、この空気清浄機で引き寄せる煙４４は、吸い込み窓７ｅの下方から吸い込むことになる。この使用形態では、空気清浄機は、逆さ吊り状態であるので、吸い込み窓７ｅは、下方で開口率が大きく、上方は開口率が小さくなっている。従って、開口率を大きくして吸い込み力を大きくした吸い込み窓７ｅの下部と、ファンに近く吸い込み力の大きい吸い込み窓７ｅの中央部分で大半の煙４４を吸い込むことができる。そして、僅かに逃れて上昇しようとする煙４４をオーバーハングした上部で押え込み、更に、押え込んだ煙４４を吸い込み窓７ｅの上部で吸い込むことができる。
【００６２】
また、この実施形態では、吸み込みパネル７を傾斜させて設けているので、既に拡散してしまった煙等を、テーブル等に設置した場合には斜め上方から、壁面取り付けた状態では斜め下方から効率よく吸い込むことができる。
【００６３】
更に、この実施形態では、湾曲面の一端側の傾斜面に操作ボタンや表示パネルを備えているので、テーブルに設置した際に上方に向いた傾斜面に操作ボタンや表示パネルが配置されるので操作性と視認性を向上することができ、壁面に取り付けた状態では下方に向いた傾斜面に操作ボタンや表示パネルが配置されるので視認性を向上することができる。
【００６４】
このように、この実施形態では、煙の発生源であるタバコの位置とこの空気清浄機の設置場所との関係で、上昇する煙を効率よく吸引することができる。なお、この実施形態では、湾曲面と開口率の異なる吸い込み窓の両方を採用しているが、何れか一方を採用しても吸引効率を向上することができる。なお、両者を同時に採用することで効率をより向上することができることは明らかである。
【００６５】
また、吸い込み窓７ｅは、一般には、開口率を大きくすれば吸い込み効率を向上させることができるが、内部の構造物が見えて意匠性が悪くなる大きな課題が残る。しかし、実施形態では、吸い込み窓７ｅの中で必要な部分を大きな開口面積とし、開口面積を大きくしても効率向上が少ない部分を小さな開口面積としたことで、吸込み効率を向上しつつ、意匠的な劣化を抑制するようにした。
【００６６】
本発明は、更に、前述した２つの実施形態を複合した形態で実施することもできる。
【００６７】
【発明の効果】
以上のように本発明は、室内空気を効率良く循環させて優れた集塵および脱臭性能を発揮することができ、床置きまたは壁掛け状態で小形（薄型）に感じられ（スリム感）、床置き状態で安定性が高く、床置きまたは壁掛けの何れの状態でも表示が見易くなる効果がある。
【００６８】
また、吸い込みパネルは、上端部がオーバーハングするように湾曲させ、その吸い込み窓の通気開口の開口率を上部領域が下部領域よりも大きくなるようにしたので、上昇する煙を効率良く引き寄せて吸い込むことができる。
【図面の簡単な説明】
【図１】本発明になる空気清浄機の本体フレームと該本体フレームに取り付ける送風手段と紫外線ランプと操作部および制御手段の分解斜視図である。
【図２】本発明になる空気清浄機の本体フレームの前面側に取り付ける光触媒脱臭手段と集塵手段と吸い込みパネルの分解斜視図である。
【図３】本発明になる空気清浄機の本体フレームの後面側に取り付ける後ケースと該後ケースに設ける吹き出しグリルと吊り具の分解斜視図である。
【図４】本発明になる空気清浄機の表示パネルの正面図である。
【図５】本発明になる空気清浄機の縦断側面図である。
【図６】本発明になる空気清浄機の電気的なブロック図である。
【図７】本発明になる空気清浄機のリモコン操作装置の正面図と側面図である。
【図８】本発明になる空気清浄機を床置きまたは壁掛けして使用するときの表示切り換え制御処理である。
【図９】本発明になる空気清浄機を床置きまたは壁掛け使用形態を示す側面図である。
【図１０】本発明の他の実施形態の空気清浄機の正面側から見た外観斜視図である。
【図１１】本発明の図１０に示した他の実施形態の空気清浄機の平面図である。
【図１２】本発明の図１０に示した他の実施形態の空気清浄機の正面図である。
【図１３】本発明の図１０に示した他の実施形態の空気清浄機の側面図である。
【図１４】本発明の図１０に示した他の実施形態の空気清浄機の使用形態における吸気特性説明図であり、（ａ）は空気清浄機をテーブル上に設置した使用形態を示し、（ｂ）は壁面に取り付けた使用形態を示している。
【符号の説明】
１…本体フレーム、１ｆ…操作面、３…紫外線ランプ、５ａ，５ｂ…光触媒シート、６…活性炭入り集塵フィルター、７…吸い込みパネル、７ｅ…吸い込み窓、９…表示パネル、１５ｇ…７セグメントＬＥＤ、２４ａ，２４ｂ…吊り金具。
【図１】
0003574753.tif 000002
【図２】
0003574753.tif 000003
【図３】
0003574753.tif 000004
【図４】
0003574753.tif 000005
【図５】
0003574753.tif 000006
【図６】
0003574753.tif 000007
【図７】
0003574753.tif 000008
【図８】
0003574753.tif 000009
【図９】
0003574753.tif 000010
【図１０】
0003574753.tif 000011
【図１１】
0003574753.tif 000012
【図１２】
0003574753.tif 000013
【図１３】
0003574753.tif 000014
【図１４】
0003574753.tif 000015